(57)【要約】【課題】軌道輪と転動体に一般的な鋼材を用いつつも特別な絶縁処理を施すことなく、しかも導電性シールを用いることなく、軌道輪の軌道面や転動体の表面に電食による損傷が生じにくい玉軸受を提供する。【解決手段】深溝玉軸受１０の内輪１１及び外輪１３の軌道溝１２，１４の横断面形状は円弧状で、軌道溝１２，１４の溝半径は、玉１６の直径の５０．１％以上５１．９％以下である。また、内輪１１，外輪１３，及び玉１６のうち少なくとも一つは、炭素を０．３５質量％以上１．２質量％以下、クロムを１質量％以上５．５質量％以下、マンガンを０．１質量％以上２質量％以下、ケイ素を０．５質量％以上２質量％以下含有する合金鋼で構成されている。さらに、深溝玉軸受１０の運転すきまは、負の値である。【選択図】図１
2008057691.tif 000002
【特許請求の範囲】
【請求項１】
横断面形状が円弧状である軌道溝を有する内輪及び外輪と、前記内輪及び前記外輪の間に転動自在に配された複数の玉と、を備える玉軸受において、下記の３つの条件を満足することを特徴とする玉軸受。
条件Ａ：前記内輪及び前記外輪の軌道溝の溝半径は、前記玉の直径の５０．１％以上５１．９％以下である。
条件Ｂ：前記内輪，前記外輪，及び前記玉のうち少なくとも一つは、炭素を０．３５質量％以上１．２質量％以下、クロムを１質量％以上５．５質量％以下、マンガンを０．１質量％以上２質量％以下、ケイ素を０．５質量％以上２質量％以下含有する合金鋼で構成されている。
条件Ｃ：運転すきまが負の値である。
【請求項２】
前記合金鋼は、２質量％以下のモリブデン及び２質量％以下のバナジウムの少なくとも一方をさらに含有することを特徴とする請求項１に記載の玉軸受。
【請求項３】
前記運転すきまをＳ、前記玉の直径をＤとすると、ＳとＤとの比Ｓ／Ｄが−０．００５以上−０．００１以下であることを特徴とする請求項１又は請求項２に記載の玉軸受。
【発明の詳細な説明】
【技術分野】
【０００１】
本発明は、玉軸受に関する。
【背景技術】
【０００２】
インバータ装置やチョッパ制御装置によって駆動されるインダクションモータやＤＣモータ等においては、ＰＷＭ（Ｐｕｌｓｅ  Ｗｉｄｔｈ  Ｍｏｄｕｌａｔｉｏｎ：パルス幅変調）駆動による通電が行われることが多く、その制御性や効率を高めていくために、年々スイッチング速度の高速化や、印加電圧の高電圧化が図られている。一方、回転伝達のためにベルト掛けされるモータやアイドラプーリにおいては、ベルトとプーリの摩擦により静電気が発生する。また、軸流ファンのように回転部材に直接羽根が付いているモータにおいては、羽根と空気の摩擦により静電気が発生する。
【０００３】
したがって、インバータ駆動やベルト掛けにより回転伝達されるモータやアイドラプーリ、軸流ファンなどは回転部材が帯電しやすく、軸電圧が高くなる傾向にある。このため、転がり軸受の軌道輪と転動体との間に形成されている油膜が絶縁破壊し、瞬間的に軸電圧が放電されることで、パルス状の電流が流れる現象が生じやすくなっており、それに伴い、軌道輪の軌道面や転動体の表面に電食による損傷が生じるという問題がある。
【０００４】
また、鉄道車両駆動用モータにおいては、回転側部材が減速機と車輪、レールを介して常に接地されている一方、モータを駆動するためにステータ巻線に印加する交流電圧により、ステータ巻線とステータの間に存在する浮遊容量を介してモータの固定側部材の電位も上昇したり変動したりするため、主軸に用いられる転がり軸受の軌道輪と転動体をパルス状又は交流状の電流が流れる現象が生じやすくなっており、それに伴い軌道輪の軌道面や転動体の表面に電食が生じるという問題がある。
【０００５】
そこで、従来においては、内輪若しくは外輪に絶縁層をコーティングするか（例えば特許文献１を参照）、内輪若しくは外輪にポリフェニレンサルファイド（ＰＰＳ）等の樹脂を巻くか、又は窒化ケイ素を主体としたセラミック製の転動体を組み込む（例えば特許文献２を参照）などして絶縁することで、電食による損傷を防止するようにした技術が提案されている。
【０００６】
一方、接触式ゴムシールを有する転がり軸受においては、絶縁することで電食による損傷を防止するのではなく、ゴムの材質に導電性を持たせて軌道輪間を電気的に導通させることで電食による損傷を防止する技術が提案されている（例えば特許文献３を参照）。
【特許文献１】特開平１−２４２８２３号公報
【特許文献２】特開平７−１２１２９号公報
【特許文献３】実開平５−３０５６０号公報
【発明の開示】
【発明が解決しようとする課題】
【０００７】
しかしながら、特許文献１に記載のように、内輪又は外輪に絶縁層をコーティングした転がり軸受においては、軸，ハウジングへの挿入時や経時変化等によるクリープにより絶縁層が欠けてしまうと電食による損傷を防止することができなくなる。
また、内輪又は外輪に樹脂を巻いた転がり軸受では、内輪の内径部又は外輪の外径部全体に一様の厚さで樹脂を巻く必要があるため、精度の面において転がり軸受としての機能が損なわれてしまう場合がある。
【０００８】
さらに、特許文献２に記載のように、セラミック製の転動体を組み込んだ転がり軸受では、絶縁性に優れており電食による損傷を防止する効果はあるものの、転動体の製法として一般的に用いられる加圧焼結法により製造されたセラミック製転動体は高価であり、しかも、表面密度が非常に密であるため油膜形成条件の厳しい環境（静止状態で振動を受ける環境）では、物理的に凝着を発生するおそれがある。
【０００９】
一方、特許文献３に記載のように、導電性ゴムシールを介して軌道輪間を電気的に導通させた転がり軸受では、ゴムシールを回転側の軌道輪に摺接させる必要があるため、回転速度の低い用途に限定されてしまう。また、工作機械の主軸等に用いられるアンギュラ玉軸受等のような、シールを用いない転がり軸受には適用することができない。
そこで、本発明は、上記のような従来技術が有する問題点を解決し、軌道輪と転動体に一般的な鋼材を用いつつも特別な絶縁処理を施すことなく、しかも導電性シールを用いることなく、軌道輪の軌道面や転動体の表面に電食による損傷が生じにくい玉軸受を提供することを課題とする。
【課題を解決するための手段】
【００１０】
前記課題を解決するため、本発明は次のような構成からなる。すなわち、本発明に係る請求項１の玉軸受は、横断面形状が円弧状である軌道溝を有する内輪及び外輪と、前記内輪及び前記外輪の間に転動自在に配された複数の玉と、を備える玉軸受において、下記の３つの条件を満足することを特徴とする。
条件Ａ：前記内輪及び前記外輪の軌道溝の溝半径は、前記玉の直径の５０．１％以上５１．９％以下である。
【００１１】
条件Ｂ：前記内輪，前記外輪，及び前記玉のうち少なくとも一つは、炭素を０．３５質量％以上１．２質量％以下、クロムを１質量％以上５．５質量％以下、マンガンを０．１質量％以上２質量％以下、ケイ素を０．５質量％以上２質量％以下含有する合金鋼で構成されている。
条件Ｃ：運転すきまが負の値である。
【００１２】
また、本発明に係る請求項２の玉軸受は、請求項１に記載の玉軸受において、前記合金鋼は、２質量％以下のモリブデン及び２質量％以下のバナジウムの少なくとも一方をさらに含有することを特徴とする。
さらに、本発明に係る請求項３の玉軸受は、請求項１又は請求項２に記載の玉軸受において、前記運転すきまをＳ、前記玉の直径をＤとすると、ＳとＤとの比Ｓ／Ｄが−０．００５以上−０．００１以下であることを特徴とする。
【００１３】
運転すきまを負の値とすれば、玉と内外輪とが常時通電状態となるので、電食が生じにくくなる。運転すきまを負の値とすると、面圧が高くなる、発熱が生じやすくなる等のマイナス面が考えられるが、上記条件Ａの構成を採用することにより面圧の上昇を抑制するとともに、ＳＵＪ２と比べてケイ素及びクロムの含有量が高い合金鋼を用いることにより（すなわち上記条件Ｂの構成を採用することにより）発熱による悪影響を低減することができる。
【００１４】
ＳとＤとの比Ｓ／Ｄが−０．００５未満であると、運転すきまの絶対値が大きいため焼付きが生じやすくなる。一方、−０．００１超過であると、運転すきまの絶対値が小さいため電食が生じやすくなる。
以下に、本発明に用いられる合金鋼に添加される各合金成分の作用及び含有量の臨界的意義について説明する。
【００１５】
〔炭素について〕
炭素（Ｃ）は、転がり軸受として要求される硬さを得るために０．３５質量％以上必要である。一方、炭素の含有量が１．２質量％を超えると、製鋼時に粗大な共晶炭化物を形成しやすくなって、転がり寿命の低下を引き起こす場合がある。清浄度を向上させ、共晶炭化物の形成を抑制するためには、炭素の含有量は０．３５質量％以上１．２質量％以下とする必要がある。
【００１６】
〔ケイ素について〕
ケイ素（Ｓｉ）は、製鋼時の脱酸剤として作用し焼入れ性を向上させるとともに、素地のマルテンサイトを強化するので、軸受寿命を長くするために有効な元素である。ケイ素の含有量が０．５質量％未満では、これらの効果が十分に得られず、所定の高温硬さが維持できない。また、ケイ素の含有量が２質量％を超えると、被切削性，鍛造性，冷間加工性が著しく低下する。
【００１７】
〔マンガンについて〕
マンガン（Ｍｎ）は、鋼中のフェライトを強化し、焼入れ性を向上させる元素である。マンガンの含有量が０．１質量％未満では、上記の効果が不十分となる。また、マンガンの含有量が２質量％を超えると、焼入れ後の残留オーステナイト量が多くなって硬さが低下するとともに、冷間加工性や被削性も低下する。
【００１８】
〔クロムについて〕
クロム（Ｃｒ）は、焼入れ性，耐摩耗性の向上等の効果を発現するとともに、焼戻し軟化抵抗性を向上させ、高温下での硬さの低下を抑制する元素である。クロムの含有量が１質量％未満であると、上記の効果が不十分となり、特に高温で硬さが低下しやすい。また、クロムの含有量が５．５質量％を超えると、高温下での硬さの低下を抑制する効果が飽和するばかりでなく、巨大炭化物の発生による一般寿命の低下や被切削性の低下等の問題が生じる。
【００１９】
〔モリブデンについて〕
モリブデン（Ｍｏ）は、焼入れ性及び焼戻し軟化抵抗性を著しく向上させる効果がある。それとともに、転がり疲労寿命を高める作用もある。ただし、過剰に添加すると、靱性及び加工性が低下することとなるので、モリブデンを添加する場合には、その含有量は２質量％以下とすることが好ましい。
【００２０】
〔バナジウムについて〕
バナジウム（Ｖ）は、微細な炭化物を形成して耐摩耗性を向上させる効果がある。ただし、過剰に添加すると、これらの効果が飽和するばかりでなく、著しいコストアップとなったり、粗大な共晶炭化物が生成する場合がある。よって、バナジウムを添加する場合には、その含有量は２質量％以下とすることが好ましい。
【発明の効果】
【００２１】
本発明の玉軸受は、軌道輪の軌道面や転動体の表面に電食による損傷が生じにくく長寿命である。
【発明を実施するための最良の形態】
【００２２】
本発明に係る玉軸受の実施の形態を、図面を参照しながら詳細に説明する。図１は、本発明に係る玉軸受の一実施形態である深溝玉軸受の構成を示す部分縦断面図である。なお、これ以降の各図においては、同一又は相当する部分には同一の符号を付してある。
図１の深溝玉軸受１０は、外周面に軌道溝（軌道面）１２を有する内輪１１と、内輪１１の軌道溝１２に対向する軌道溝（軌道面）１４を内周面に有する外輪１３と、両軌道溝１２，１３間に転動自在に配された複数の玉１６と、内輪１１及び外輪１３の間に複数の玉１６を保持する保持器１７と、内輪１１及び外輪１３の間の隙間の開口を覆うシール１８，１８と、を備えている。シール１８は鋼板製の一般的なものである。なお、保持器１７やシール１８は備えていなくてもよい。
【００２３】
両軌道溝１２，１４の横断面形状は円弧状で、両軌道溝１２，１４の溝半径は、玉１６の直径の５０．１％以上５１．９％以下とされている。また、内輪１１，外輪１３，及び玉１６のうち少なくとも一つは、炭素を０．３５質量％以上１．２質量％以下、クロムを１質量％以上５．５質量％以下、マンガンを０．１質量％以上２質量％以下、ケイ素を０．５質量％以上２質量％以下含有する合金鋼で構成されている。内輪１１，外輪１３，及び玉１６のうちの一つが前記合金鋼で構成されていればよいが、内輪１１及び外輪１３が前記合金鋼で構成されていることが好ましく、内輪１１，外輪１３，及び玉１６の全てが前記合金鋼で構成されていることがより好ましい。さらに、この深溝玉軸受１０の運転すきまは、負の値である。
【００２４】
なお、前記合金鋼は、２質量％以下のモリブデン及び２質量％以下のバナジウムの少なくとも一方をさらに含有してもよい。また、運転すきまをＳ、玉１６の直径をＤとすると、ＳとＤとの比Ｓ／Ｄは−０．００５以上−０．００１以下であることが好ましい。
このような深溝玉軸受１０は、モータやファン等に用いられる転がり軸受として好適である。特に、インバータ装置やチョッパ制御装置によって駆動されたり、ベルト掛けにより回転伝達されたり、軸流ファンのようにモータの回転部材に直接羽根を付けていたりするなど、回転側部材に高い軸電圧が発生するモータやアイドラプーリの主軸や、鉄道車両用駆動モータのように回転側部材が接地され、固定側部材から回転側部材を介して電流が流れる可能性のあるモータの主軸に用いられる転がり軸受として好適である。
【００２５】
ファン駆動用電動モータの主軸を回転自在に支持する転がり軸受として使用した例を、図２に示す。玉軸受１０を２個一対で組込んだファン駆動用電動モータ４０は、モータハウジング４１の一端部にハウジング前蓋４２が固定され、モータハウジング４１の他端部にハウジング後蓋４３が固定されている。そして、一方の玉軸受１０の外輪１３は、ハウジング前蓋４２に形成された保持段部４４の内側に間座４５を介して嵌め込まれており、他方の玉軸受１０の外輪１３は、ハウジング後蓋４３に形成された保持凹部４６の内側に間座４７を介して嵌め込まれている。両玉軸受１０，１０の内輪１１，１１には、ロータ４８を固定したモータ軸４９が内嵌されている。ロータ４８の外周部には、モータハウジング４１の内周部に固定されたステータ５０が非接触にして配置される。
【００２６】
なお、本実施形態は本発明の一例を示したものであって、本発明は本実施形態に限定されるものではない。例えば、本実施形態においては、玉軸受の例として深溝玉軸受を示して説明したが、本発明は様々な種類の玉軸受に対して適用することができる。例えば、アンギュラ玉軸受等のラジアル形の玉軸受や、スラスト玉軸受等のスラスト形の玉軸受である。
【００２７】
〔実施例〕
以下に、実施例を示して、本発明をさらに具体的に説明する。前述した図１の深溝玉軸受１０とほぼ同様の構成を有する深溝玉軸受を用意して、電食試験を行った。電食試験に供した実施例１〜１４及び比較例１〜１５の軸受は、呼び番号６２０２（日本精工株式会社製のＮＳ７グリースを封入してある）の深溝玉軸受であり、内輪，外輪，及び玉が表１に示すような組成の合金成分を含有する合金鋼（前記合金成分以外の成分は鉄及び不可避の不純物である）で構成されている。この内輪，外輪，及び玉は、合金鋼を所定の形状に成形した後に、焼入れ及び焼戻しを施して製造したものである。
また、これらの深溝玉軸受は、内外輪の軌道溝の溝半径と玉の直径との比、運転すきま、及び運転すきまＳと玉の直径Ｄとの比Ｓ／Ｄが表２，３に示すような値に設定されている。なお、玉の直径は、いずれの深溝玉軸受の場合も５．９５３ｍｍである。
【００２８】
【表１】
2008057691.tif 000003
【００２９】
【表２】
2008057691.tif 000004
【００３０】
【表３】
2008057691.tif 000005
【００３１】
電食試験には、図３及び図４に示す電食試験装置を用いた。図３に示すように、電食試験装置６０は、インバータ６１と、第１のインダクションモータ６２と、第２のインダクションモータ６３と、電流アンプ６４と、電圧計６５と、絶縁カップリング６６と、から構成されている。
【００３２】
また、図４に示すように、電食試験装置６０において、一対の玉軸受７０，７０は、図２に示したファン駆動用電動モータ４０の鉄製のモータハウジング４１内に収納されており、予圧ばね６８を通じて給電される。そして、内嵌されたモータ軸４９が、絶縁カップリング６６を介して第２のインダクションモータ６３に結合されている。
玉軸受７０，７０に１４ｍＡの電流を印加し、２９．４Ｎのアキシアル荷重を負荷して回転させた。そして、振動値が回転初期の３倍となったら回転を終了し、そこまでの回転時間を寿命とした。寿命に至った軸受の軌道面をＳＥＭや金属顕微鏡で観察したところ、電食が発生していた。
【００３３】
各軸受の寿命を表２，３に示す。なお、表２，３に示した寿命の数値は、比較例１の玉軸受の寿命を１とした場合の相対値で示してある。表２，３から分かるように、実施例１〜１４の軸受は、比較例１〜１５の軸受と比べて電食が生じにくく長寿命であった。また、実施例４と実施例５との比較、及び、実施例９と実施例１０との比較から、玉の材質を合金鋼種Ｉ（ＳＵＪ２）から本発明の条件を満足する合金鋼に変更すると、より長寿命となることが分かる。さらに、運転すきまが負の値であるとより長寿命であるが、運転すきまＳと玉の直径Ｄとの比Ｓ／Ｄが−０．００３４以上−０．００１以下であると、さらに長寿命であることが分かる。
【図面の簡単な説明】
【００３４】
【図１】本発明に係る玉軸受の一実施形態である深溝玉軸受の構成を示す部分縦断面図である。
【図２】図１の深溝玉軸受を組込んだファン駆動用電動モータの断面図である。
【図３】電食試験装置の構成図である。
【図４】電食試験装置の要部を説明する図である。
【図５】運転すきまＳと玉の直径Ｄとの比Ｓ／Ｄと玉軸受の寿命との関係を示すグラフである。
【符号の説明】
【００３５】
１０      深溝玉軸受
１１      内輪
１２      軌道溝
１３      外輪
１４      軌道溝
１６      玉
【図１】
2008057691.tif 000006
【図２】
2008057691.tif 000007
【図３】
2008057691.tif 000008
【図４】
2008057691.tif 000009
【図５】
2008057691.tif 000010